(57)【要約】【課題】  クリーニングモード中の冷却運転が長時間になることを防止するミスト発生装置を提供する。【解決手段】  除菌運転後の冷却運転時におけるミストモータ１４及び送風ファン１７の回転数について、貯水温度が５０℃未満になるまではそれぞれを４００ｒｐｍ、１０００ｒｐｍで駆動させ、貯水温度が５０℃以下になってから４０℃未満になるまではそれぞれを６００ｒｐｍ、１２００ｒｐｍで駆動させるので、冷却運転時に給水タンク９内の水を使用することなく高温のナノミストを含んだ加湿空気の発生量と送風量を抑えて貯水温度を素早く低下させ、排水動作に移ることができる。【選択図】  図６
2017003237.tif 000002
【特許請求の範囲】
【請求項１】
器具本体と、該器具本体内にあり水を貯水する貯水室と、該貯水室へ給水可能な水を貯水する給水タンクと、前記貯水室内の水を排水するための排水管と、前記貯水室内の水を加熱する加熱ヒータと、前記貯水室内の貯水温度を検知する貯水温度センサと、前記貯水室内の水に下端を水没させ回転により水を汲み上げて飛散させる筒状の回転体と、該回転体を回転駆動させるミストモータと、前記回転体の回転により飛散された水が衝突する衝突体と、該衝突体で水が破砕されることで発生したナノミストとマイナスイオンとを含んだ加湿空気を室内に供給する送風ファンと、前記加熱ヒータをＯＮ状態にして前記貯水室内の貯水温度を除菌可能な温度で所定時間だけ加熱する除菌運転を制御する制御部とを備え、
前記制御部は、前記除菌運転が終了したら前記ミストモータと前記送風ファンとを駆動させる冷却運転１を開始し、前記貯水温度センサでの検知温度が所定温度未満となったら前記ミストモータ及び／又は前記送風ファンの回転数を前記冷却運転１の時よりも上昇させる冷却運転２を開始することを特徴とするミスト発生装置。
【請求項２】
器具本体と、該器具本体内にあり水を貯水する貯水室と、該貯水室へ給水可能な水を貯水する給水タンクと、前記貯水室内の水を排水するための排水管と、前記貯水室内の水を加熱する加熱ヒータと、前記貯水室内の水に下端を水没させ回転により水を汲み上げて飛散させる筒状の回転体と、該回転体を回転駆動させるミストモータと、前記回転体の回転により飛散された水が衝突する衝突体と、該衝突体で水が破砕されることで発生したナノミストとマイナスイオンとを含んだ加湿空気を室内に供給する送風ファンと、前記加熱ヒータをＯＮ状態にして前記貯水室内の貯水温度を除菌可能な温度で所定時間だけ加熱する除菌運転を制御する制御部とを備え、
前記制御部は、前記除菌運転が終了したら前記ミストモータと前記送風ファンとを駆動させる冷却運転１を開始し、前記冷却運転１を開始してから所定時間が経過したと判断したら、前記ミストモータ及び／又は前記送風ファンの回転数を前記冷却運転１の時よりも上昇させる冷却運転２を開始することを特徴とするミスト発生装置。
【発明の詳細な説明】
【技術分野】
【０００１】
この発明は、ナノミストとマイナスイオンとを含んだ加湿空気を室内へ送風するミスト発生装置において貯水室内の水を冷却する冷却運転に関するものである。
【背景技術】
【０００２】
従来、この種のものでは、回転体を軸支するミストモータを駆動させ、貯水室の水を汲み上げて衝突体に衝突させることでナノミストとマイナスイオンを発生させ、送風ファンを駆動することで室内にナノミストとマイナスイオンとを含んだ加湿空気を室内へ送風するミスト運転を行うミスト発生装置があり、ミスト運転が終了したら加熱ヒータのＯＮ／ＯＦＦ状態を適宜切り替えて貯水室内の水を加熱除菌可能な温度で所定時間だけ加熱し、所定時間経過したら加熱ヒータをＯＦＦ状態にして給水弁を開放し、貯水室内へ給水管内の冷水を流入して貯水室内の水を冷却する冷却運転を実施し、貯水室内の水温が所定温度以下になったら排水弁を開放して貯水室内の水を排水することで、高温水が排水管を流動して配管素材を痛めることを防止していた。（例えば、特許文献１）
【先行技術文献】
【特許文献】
【０００３】
【特許文献１】特開２０１４−１５６９６８号公報
【発明の概要】
【発明が解決しようとする課題】
【０００４】
しかし、この従来のものでは、器具本体内に容量が有限の給水タンクを備え、該給水タンク内の水を貯水室内へ供給して運転終了後に貯水室内に残った水を排水する構成では、給水タンクの水が有限であることから給水タンク内に水が残っていない状態では冷却運転時に貯水室内へ水を供給することが不可能であり、また、給水タンク内の水を供給せず自然放熱のみで貯水温度を低下させようとすると、排水管を痛めない貯水温度に低下するまで長時間必要となる。
【０００５】
この対策として、冷却運転時にミストモータと送風ファンの回転数を増加させ、貯水室内の貯水温度低下を早める方法が考えられるが、除菌運転直後の貯水温度は６５℃前後であり、除菌運転の終了直後にミストモータや送風ファンの回転数を単に増加させて運転する方法では、高温の加湿空気が室内へ送風されることで安全性が低下することから、他の方法での冷却運転が望まれていた。
【課題を解決するための手段】
【０００６】
上記課題を解決するために、本発明の請求項１では、器具本体と、該器具本体内にあり水を貯水する貯水室と、該貯水室へ給水可能な水を貯水する給水タンクと、前記貯水室内の水を排水するための排水管と、前記貯水室内の水を加熱する加熱ヒータと、前記貯水室内の貯水温度を検知する貯水温度センサと、前記貯水室内の水に下端を水没させ回転により水を汲み上げて飛散させる筒状の回転体と、該回転体を回転駆動させるミストモータと、前記回転体の回転により飛散された水が衝突する衝突体と、該衝突体で水が破砕されることで発生したナノミストとマイナスイオンとを含んだ加湿空気を室内に供給する送風ファンと、前記加熱ヒータをＯＮ状態にして前記貯水室内の貯水温度を除菌可能な温度で所定時間だけ加熱する除菌運転を制御する制御部とを備え、
前記制御部は、前記除菌運転が終了したら前記ミストモータと前記送風ファンとを駆動させる冷却運転１を開始し、前記貯水温度センサでの検知温度が所定温度未満となったら前記ミストモータ及び／又は前記送風ファンの回転数を前記冷却運転１の時よりも上昇させる冷却運転２を開始することを特徴とする。
【０００７】
また、請求項２では、器具本体と、該器具本体内にあり水を貯水する貯水室と、該貯水室へ給水可能な水を貯水する給水タンクと、前記貯水室内の水を排水するための排水管と、前記貯水室内の水を加熱する加熱ヒータと、前記貯水室内の水に下端を水没させ回転により水を汲み上げて飛散させる筒状の回転体と、該回転体を回転駆動させるミストモータと、前記回転体の回転により飛散された水が衝突する衝突体と、該衝突体で水が破砕されることで発生したナノミストとマイナスイオンとを含んだ加湿空気を室内に供給する送風ファンと、前記加熱ヒータをＯＮ状態にして前記貯水室内の貯水温度を除菌可能な温度で所定時間だけ加熱する除菌運転を制御する制御部とを備え、
前記制御部は、前記除菌運転が終了したら前記ミストモータと前記送風ファンとを駆動させる冷却運転１を開始し、前記冷却運転１を開始してから所定時間が経過したと判断したら、前記ミストモータ及び／又は前記送風ファンの回転数を前記冷却運転１の時よりも上昇させる冷却運転２を開始することを特徴とする。
【発明の効果】
【０００８】
この発明によれば、除菌運転が終了したらミストモータと送風ファンとを駆動させる冷却運転１を開始し、貯水温度センサでの検知温度が所定温度未満となったらミストモータ及び／又は送風ファンの回転数を冷却運転１の時よりも上昇させる冷却運転２を開始するので、除菌運転直後に高温の加湿空気が室内に送風されることを防止しつつ、貯水温度が低下したらミストモータ及び／又は送風ファンの回転数を上昇させて貯水温度の低下速度を早めるため、安全性を保持してかつ冷却運転の時間が長引くことを防止できる。
【０００９】
また、除菌運転が終了したらミストモータと送風ファンとを駆動させる冷却運転１を開始し、冷却運転１を開始してから所定時間が経過したと判断したら、ミストモータ及び／又は送風ファンの回転数を冷却運転１の時よりも上昇させる冷却運転２を開始するので、貯水温度が低下し高温の加湿空気が送風されることがない所定時間が経過したら、ミストモータ及び／又は送風ファンの回転数を上昇させて貯水温度の低下速度を早めるため、安全性を保持してかつ冷却運転の時間が長引くことを防止できる。
【図面の簡単な説明】
【００１０】
【図１】この発明の一実施形態の外観を説明する斜視図
【図２】同実施形態の概略構成図
【図３】同実施形態の制御ブロック図
【図４】同実施形態の操作部を説明する図
【図５】同実施形態の運転開始から終了までの動作を説明するフローチャート
【図６】同実施形態の除菌運転から排水までの動作を説明するフローチャート
【図７】同実施形態の除菌運転から排水までの動作を説明するタイミングチャート
【図８】他の実施形態の除菌運転から排水までの動作を説明するフローチャート
【図９】他の実施形態の除菌運転から排水までの動作を説明するタイミングチャート
【発明を実施するための形態】
【００１１】
次に、この発明の一実施形態におけるミスト発生装置を図に基づいて説明する。
１は器具本体、２は器具本体１上部に形成されルーバー３が設置された送風口、４は複数のスイッチが備えられ各種操作指令を行う操作部、５は器具本体１正面中央部に形成され器具本体１内に空気を取り込む吸い込み口、６は器具本体１下部に設置され取っ手を引くことで内部に設置された排水タンク７の取り出しを可能とする排水タンク収納扉、８は該排水タンク収納扉６の横にあり内部に設置された給水タンク９の給水口を収納する給水口扉、１０は該給水口扉８の下部に形成され給水タンク９内に残存する水量を目視可能な水位窓、１１は器具本体１底部に設置され器具本体１の移動を可能とするタイヤ部である。
【００１２】
１２は器具本体１内に設置され所定量の水を貯水する貯水室であり、この貯水室１２内には水に下端を水没させ駆動軸に軸支された筒状の回転体１３が備えられている。
【００１３】
前記回転体１３は、中空逆円錐形で上方に向かって径が徐々に拡大するものであり、駆動軸に接続され回転体１３を回転駆動させるミストモータ１４を駆動させ、回転体１３が回転することによる回転の遠心力で貯水室１２内の水を汲み上げ、回転体１３の外壁および内壁を伝わせて水を押し上げて、回転体１３の外壁を伝わせて押し上げた水を周囲に飛散させると共に、回転体１３の内壁を伝わせて押し上げた水を回転体１３の上端に形成された複数の図示しない飛散口から周囲に飛散させる。
【００１４】
１５は回転体１３の上部外周に所定間隔を離間させて位置し、回転体１３と共に回転する円筒状の多孔体で、該多孔体１５には、その全周壁に多数のスリットや金網やパンチングメタル等から成る衝突体としての多孔部１６が設置されており、回転体１３の回転による遠心力で貯水室１２内の水を汲み上げると共に空気を飛散させ、多孔部１６を通過した水滴が破砕されることで、水の粒子を微細化してナノメートル（ｎｍ）サイズのミストが生成すると共に、水の粒子の微細化によるレナード効果でマイナスイオンを多量に発生させるものである。
【００１５】
１７は所定の回転数で駆動することで空気を流動させる送風ファンであり、器具本体１の正面に形成された吸い込み口５から吸い込んだ室内空気を吹き出して、貯水室１２と送風通路１８とを通過させて送風口２から送風することで、貯水室１２内で発生したナノミストとマイナスイオンとを含んだ加湿空気を室内へ供給する。
【００１６】
１８は貯水室１２内に設置され貯水を加熱する加熱ヒータであり、貯水室１２の外壁に設置され貯水温度を検知する貯水温度センサ１９で検知される温度が所定温度となるよう、ＯＮ／ＯＦＦ状態を適宜切り替える。
【００１７】
２０は貯水室１２内に設置されフロートの上下により水位を検知する水位センサであり、貯水室１２内の水位が低下して所定水位以下になったらＯＦＦ信号を出力し、水位が上昇して所定水位以上になったらＯＮ信号を出力し、更に水位が上昇して貯水室１２内が満水となったら満水信号を出力する。
【００１８】
２１は一端が貯水室１２に接続し他端が給水タンク９の底部に所定のクリアランスを設けて設置された給水管であり、該給水管２１の配管途中には、給水タンク９内の水を貯水室１２内まで流動させる給水ポンプ２２と、給水管２１内を流動する水の流量を検知する流量センサ２３とが設置されている。
【００１９】
２４は一端が貯水室１２の底部に接続し他端が排水タンク７の排水流入口２５上部に設置された排水管であり、該排水管２４の配管途中には、電磁弁を開閉して貯水室１２内の水の排水を制御する排水弁２６が備えれている。
【００２０】
２７は送風口２の壁面に設置され室内へ向けて送風される加湿空気の温度を検知する送風温度センサ、２８は送風ファン１７の近傍に設置され吸い込み口５から吸い込まれた室内空気の温度を検知する吸気温度センサ、２９は前記吸気温度センサ２８の近傍に設置され器具本体１が設置された室内の湿度を検知する湿度センサであり、各センサで検知された温度や湿度に基づいてミストモータ１４や送風ファン１７の回転数を変化させ、加熱ヒータ１８のＯＮ／ＯＦＦ状態を切り替える。
【００２１】
３０は送風通路１８内に設置されたフィルターであり、貯水室１２内で発生したナノミストとマイナスイオンとを含む加湿空気中の大粒の水滴を補水し、送風口２まで到達させないようにすることで、送風口２付近や器具本体１の設置面が濡れることを防止する。
【００２２】
３１は一端が貯水室１２の壁面に接続され他端が給水タンク９の給水流入口３２上部に設置されたオーバーフロー管であり、万一水位センサ２０が故障して満水検知ができなかった時、給水ポンプ２２が駆動し続けて貯水室１２内への給水が停止せずとも、オーバーフロー管３１を通じて給水タンク９内へ水を戻すことができるため、貯水室１２から水が溢れ出すことを確実に防止することができる。
【００２３】
３３は排水タンク７内に設置されたフロート、３４は該フロート３３が動作することで上下に動作するマグネット、３５は該マグネット３４の磁力の有無でＯＮ／ＯＦＦを判定する近接センサであり、排水タンク７内の水が増えることでフロート３３が徐々に上昇してマグネット３４と近接センサ３５との距離が縮まり、排水タンク７が満水近くになると近接センサ３５がＯＮ信号を出力して排水弁２６を閉止することで、排水タンク７から水が漏れ出す事態を確実に防止する。
【００２４】
３６はルーバー３の図示しない支軸と接続してルーバー３を所定角度まで回動させるルーバーモータであり、ミスト運転の開始時や停止時にルーバー３を所定の角度まで回動させる。
【００２５】
操作部４には、運転開始及び停止を指示する運転スイッチ３７と、ミストモータ１４の回転数を所定値だけ低下させて運転音の低下を図る静音運転を実行するひかえめスイッチ３８と、加湿空気を室内に供給するミスト運転の開始あるいは停止のタイマー運転の実施有無を設定するタイマー入／切スイッチ３９と、現在時刻の設定を行う時計合せスイッチ４０と、加湿空気を室内に供給するミスト運転の開始時刻や停止時刻を設定するタイマー合せスイッチ４１と、室内へ供給する加湿空気量を３段階の加湿レベルから選択する加湿スイッチ４２と、室内へ供給する加湿空気の風量を３段階の風量レベルから選択する風量スイッチ４３と、前記加湿スイッチ４２や前記風量スイッチ４３で設定された加湿レベルや風量レベルを表示する表示部４４と、該表示部４４での表示項目を加湿、風量レベルから湿度、現在時刻等に変化させる表示切り替えスイッチ４５と、スイッチを３秒押しすると排水弁２６を開放して貯水室１２内の水を強制的に排水する排水スイッチ４６と、運転停止以外の操作を禁止するチャイルドロックスイッチ４７とが備えられている。
【００２６】
また、操作部４には各スイッチに対応したランプが備えられており、前記運転スイッチ３７が操作されたら点灯する運転ランプ４８と、前記タイマー入／切スイッチ３９が操作されタイマー入り制御かタイマー切り制御かのいずれかで設定されたモードのランプを点灯させるタイマーランプ４９と、前記表示部４４で表示する検知湿度や現在時刻の午前、午後の項目に応じて該当する所定のランプが点灯する表示項目ランプ５０と、前記排水スイッチ４６が操作され排水弁２６が開放されたら点灯する排水ランプ５１と、前記チャイルドロックスイッチ４７が操作されチャイルドロックが設定された時に点灯するチャイルドロックランプ５２とが備えられている。
【００２７】
５３は各センサで検知された検知値や操作部４上に備えられた各スイッチでの設定内容に基づき運転内容や弁の開閉を制御するマイコンで構成された制御部であり、ミストモータ１４を所定の回転数で駆動させるミストモータ制御手段５４と、送風ファン１７を所定の回転数で駆動させる送風ファン制御手段５５と、加熱ヒータ１８のＯＮ／ＯＦＦ状態を変化させて貯水室１２内の水温を制御する加熱ヒータ制御手段５６と、特定の動作開始時から経過した時間をカウントする計時手段５７とが備えられている。
【００２８】
次に、一実施形態での運転開始から終了までの動作について図５のフローチャートに基づいて説明する。
まず、操作部４の運転スイッチ３７が操作されたか、もしくはタイマー入／切スイッチ３９で設定された運転開始時刻になったら、制御部５３は、排水弁２６を開放して貯水室１２内の水を排水し、水位センサ２０でＯＦＦ信号が検知されたら給水ポンプ２２の駆動を開始して給水管２１内にある水を排水して、所定時間経過したら排水弁２６を閉止する水入替モードを行う（ステップＳ１０１）。
【００２９】
ステップＳ１０１の水入替モードが終了したら、制御部５３は、給水タンク９内の水を給水管２１を介して貯水室１２内へ供給し、水位センサ２０でＯＮ信号が検知されたら所定量の水が貯水室１２内に供給されたとして給水ポンプ２２の駆動を停止した後、送風ファン１７を所定時間だけ駆動させ回転体１３に付着した大粒の水滴を落とす立ち上げモードを行う（ステップＳ１０２）。
【００３０】
ステップＳ１０２の立ち上げモードが終了したら、制御部５３は、ルーバーモータ３６を駆動させルーバー３を器具本体１の上面に対して垂直となる位置で停止させ、加湿スイッチ４２及び風量スイッチ４３で設定された加湿レベルと風量レベルに基づいて、ミストモータ１４と送風ファン１７とが所定の回転数で駆動するようミストモータ制御手段５４と送風ファン制御手段５５とでそれぞれの回転数を制御し、貯水温度センサ１９の検知値に基づいて加熱ヒータ１８のＯＮ／ＯＦＦ状態を加熱ヒータ制御手段５６で切り替えて制御することで、貯水室１２内の貯水温度を加湿レベルと風量レベルとに合わせた所定の温度範囲内にするミスト運転を実行する通常運転モードを行う（ステップＳ１０３）。
【００３１】
ここで通常運転モードを詳述すると、ミストモータ制御手段５４によりミストモータ１４を８００〜１４００ｒｐｍの範囲内で回転数を変化させ、また、送風ファン制御手段５５で送風ファン１７を４００〜８００ｒｐｍの範囲内で回転数を変化させることで、風量レベルに合った回転数にしたミスト運転を行い、更に、送風温度センサ２７で検知される温度が加湿レベルに合った値となるよう貯水室１２内の貯水温度を変化させ、貯水温度センサ１９で検知される温度が約３０〜４０℃の範囲内で推移するように加熱ヒータ１８のＯＮ／ＯＦＦ状態を加熱ヒータ制御手段５６で切り替えて制御する。
【００３２】
ステップＳ１０３の通常運転モードを開始した後に通常運転モードの途中で運転スイッチ３７がＯＦＦ操作されたか、あるいはタイマー入／切スイッチ３９で設定されたミスト運転の停止時刻になったら、制御部５３は、ルーバーモータ３６を駆動させてルーバー３を器具本体１の上面に対して約２０°だけ開放した状態で静止させ、加熱ヒータ１８をＯＮ状態にして水を加熱し、貯水温度センサ１９での検知値が６３℃から６５℃の間で推移するよう加熱ヒータ１８のＯＮ／ＯＦＦ状態を切り替えて貯水室１２内にある水の除菌を行う除菌運転を所定時間である１０分間実行し、１０分経過後に貯水室１２内を冷却する冷却運転を実行した後に排水弁２６を開放して貯水室１２内の水を排水するクリーニングモードを行う（ステップＳ１０４）。
【００３３】
ステップＳ１０４のクリーニングモードが終了したら、制御部５３は、ミストモータ制御手段５４及び送風ファン制御手段５５によりミストモータ１４と送風ファン１７とを所定の回転数で所定時間だけ駆動させ、貯水室１２内を乾燥させる乾燥モードを実施し（ステップＳ１０５）、所定時間経過したらミストモータ１４と送風ファン１７とを停止させて乾燥モードが終了し、ルーバーモータ３６を駆動させてルーバー３を閉止することで運転停止となる。
【００３４】
次に、一実施形態におけるクリーニングモード中の冷却運転について、図６のフローチャート及び図７のタイミングチャートに基づいて詳述する。
まず、前記ステップＳ１０３の通常運転モードが終了したと判断したら、制御部５３は、貯水温度センサ１９での検知温度が６５℃付近で上下するよう加熱ヒータ制御手段５６で加熱ヒータ１８のＯＮ／ＯＦＦ状態を適宜切り替える除菌運転を実施し、除菌運転開始から所定時間である１０分が経過したか判断して（ステップＳ２０１）、１０分経過していれば加熱ヒータ１８をＯＦＦ状態に切り替えて、ミストモータ１４と送風ファン１７とをそれぞれ４００ｒｐｍと１０００ｒｐｍとで駆動させる冷却運転１を開始し（ステップＳ２０２）、１０分経過していないと判断したらステップＳ２０１の判断を繰り返す。
【００３５】
前記ステップＳ２０２でミストモータ１４と送風ファン１７とをそれぞれ４００ｒｐｍ、１０００ｒｐｍで駆動させる冷却運転１を開始したら、制御部５３は、貯水温度センサ１９での検知温度が所定温度である５０℃未満か判断し（ステップＳ２０３）、検知温度が５０℃未満であればミストモータ１４と送風ファン１７とをそれぞれ６００ｒｐｍと１２００ｒｐｍとで駆動させる冷却運転２を開始し（ステップＳ２０４）、貯水温度センサ１９での検知温度が５０℃以上であればステップＳ２０３の判断を繰り返す。
【００３６】
前記ステップＳ２０４でミストモータ１４と送風ファン１７とをそれぞれ６００ｒｐｍ、１２００ｒｐｍで駆動させる冷却運転２を開始したら、制御部５３は、貯水温度センサ１９での検知温度Ｔが４０℃未満か判断し（ステップＳ２０５）、検知温度Ｔが４０℃未満であればミストモータ１４を停止させ、送風ファン１７の駆動を維持して排水弁２６を開弁する排水動作に移り（ステップＳ２０６）、貯水温度Ｔが４０℃以上であればステップＳ２０５の判断を繰り返す。
【００３７】
以上のように、除菌運転後の冷却運転時におけるミストモータ１４及び送風ファン１７の回転数について、貯水温度が５０℃未満になるまではそれぞれを４００ｒｐｍ、１０００ｒｐｍで駆動させ、貯水温度が５０℃以下になってから４０℃未満になるまではそれぞれを６００ｒｐｍ、１２００ｒｐｍで駆動させるので、貯水温度が比較的高い時はミストモータ１４と送風ファン１７とを低回転数で駆動させて高温のナノミストが含まれた加湿空気の発生量と送風量とを低減し、かつ貯水室１２内の水を攪拌して送風もすることで貯水温度の低下を促し、貯水温度が所定温度未満まで低下したらミストモータ１４と送風ファン１７の回転数を冷却運転１の時よりも上昇させることで貯水温度の低下速度を早めるので、冷却運転時に給水タンク９内の水を使用することなく高温のナノミストを含んだ加湿空気の発生量と送風量を抑えて貯水温度を素早く低下させ、排水動作に移ることができるため、排水動作時に排水管２４を痛める虞がなく、排水タンク７内の水を排水するため使用者が排水タンク収納扉６を引いて排水タンク７を取り出した時、使用者が高温水が貯まった排水タンク７に触れて火傷をする虞がないので安全性を保持することができる。
【００３８】
なお、本実施形態では冷却運転１及び冷却運転２の開始時にミストモータ１４及び送風ファン１７の回転数を共に上昇させる制御内容で説明したが、どちらか一方のみの回転数を上昇させる制御であってもよく、冷却運転１が終了し冷却運転２の開始時にミストモータ１４又は送風ファン１７のいずれか一方の回転数を上昇させ他の一方の回転数は据え置くことで、ミストモータ１４や送風ファン１７の駆動音の抑えつつ貯水室１２内の貯水温度を素早く低下させることができる。
【００３９】
次に、本発明の他の実施形態におけるクリーニングモード中の冷却運転について、図８のフローチャート及び図９のタイミングチャートに基づいて詳述する。
まず、前記ステップＳ１０３の通常運転モードが終了したと判断したら、制御部５３は、貯水温度センサ１９での検知温度が６５℃付近で上下するよう加熱ヒータ制御手段５６で加熱ヒータ１８のＯＮ／ＯＦＦ状態を適宜切り替える除菌運転を実施し、除菌運転開始から所定時間である１０分が経過したか判断して（ステップＳ３０１）、１０分経過していれば加熱ヒータ１８をＯＦＦ状態に切り替えて、ミストモータ１４と送風ファン１７とをそれぞれ４００ｒｐｍと１０００ｒｐｍとで駆動させる冷却運転１を開始し、計時手段５７で冷却運転１を開始してから経過した時間をカウントして（ステップＳ３０２）、１０分経過していないと判断したらステップＳ３０１の判断を繰り返す。
【００４０】
前記ステップＳ３０２でミストモータ１４と送風ファン１７とをそれぞれ４００ｒｐｍ、１０００ｒｐｍで駆動させる冷却運転１を開始したら、制御部５３は、計時手段５７でカウントした冷却運転１の経過時間が貯水温度が５０℃未満まで低下する所定時間である１５分以上か判断し（ステップＳ３０３）、経過時間が１５分以上であればミストモータ１４と送風ファン１７とをそれぞれ６００ｒｐｍと１２００ｒｐｍとで駆動させる冷却運転２を開始し、計時手段５７で冷却運転２を開始してから経過した時間をカウントして（ステップＳ３０４）、冷却運転１の経過時間が１５分未満であればステップＳ３０３の判断を繰り返す。
【００４１】
前記ステップＳ３０４でミストモータ１４と送風ファン１７とをそれぞれ６００ｒｐｍ、１２００ｒｐｍで駆動させる冷却運転２を開始したら、制御部５３は、計時手段５７でカウントした冷却運転２の経過時間が貯水温度が４０℃未満まで低下する時間である６分以上か判断し（ステップＳ３０５）、経過時間が６分以上であればミストモータ１４を停止させ、送風ファン１７の駆動を維持して排水弁２６を開弁する排水動作に移り（ステップＳ３０６）、冷却運転２の経過時間が６分未満であればステップＳ３０５の判断を繰り返す。
【００４２】
以上のように、除菌運転後の冷却運転時におけるミストモータ１４及び送風ファン１７の回転数について、冷却運転１を開始してから所定時間である１５分以上経過するまではミストモータ１４と送風ファン１７とをそれぞれ４００ｒｐｍ、１０００ｒｐｍで駆動させ、冷却運転２を開始していから６分以上経過するまではミストモータ１４と送風ファン１７とをそれぞれ６００ｒｐｍ、１２００ｒｐｍで駆動させるので、貯水温度が５０℃以上だと考えられる所定時間中はミストモータ１４と送風ファン１７とを比較的低回転数で駆動させて高温のナノミストが含まれた加湿空気の発生量と送風量とを低減し、かつ貯水室１２内の水を攪拌して送風もすることで貯水温度の低下を促して、冷却運転１を開始してから貯水温度が５０℃未満まで低下する所定時間が経過したら、ミストモータ１４と送風ファン１７の回転数を冷却運転１の時よりも上昇させることで貯水温度の低下速度を早めるので、冷却運転時に給水タンク９内の水を使用することなく高温のナノミストを含んだ加湿空気の発生量と送風量を抑えて貯水温度を素早く低下させ排水動作に移ることができるため、排水動作時に排水管２４を痛める虞がなく、排水タンク７内の水を排水するため使用者が排水タンク収納扉６を引いて排水タンク７を取り出した時、使用者が高温水が貯まった排水タンク７に触れて火傷をする虞がないので安全性を保持することができる。
【００４３】
なお、本実施形態では冷却運転１及び冷却運転２の開始時にミストモータ１４及び送風ファン１７の回転数を共に上昇させる制御内容で説明したが、どちらか一方のみの回転数を上昇させる制御であってもよく、冷却運転１が終了し冷却運転２の開始時にミストモータ１４又は送風ファン１７のいずれか一方の回転数を上昇させ他の一方の回転数は据え置くことで、ミストモータ１４や送風ファン１７の駆動音の抑えつつ貯水室１２内の貯水温度を素早く低下させることができる。
【００４４】
また、冷却運転１及び冷却運転２の実施時間はデフォルトで設定した所定時間のみではなく、貯水温度センサ１９での検知温度が冷却運転１から冷却運転２、及び冷却運転２から排水動作に切り替わる平均時間を学習して学習値を算出し、前記学習値に基づいて冷却運転１及び冷却運転２の実施時間を設定してもよく、学習値に基づいて各冷却運転の時間を設定することで、確実に貯水温度が十分低下した段階でミストモータ１４及び送風ファン１７の回転数を変化させ、早期に冷却運転を終了させることができる。
【００４５】
また、各実施形態の冷却運転中はルーバー３を器具本体１に対して２０°となる位置で開放した状態なので、冷却運転時にミストモータ１４及び送風ファン１７を駆動させても、器具本体１から部屋全体に対して高温の加湿空気が放出されることを防止すると共に、貯水室１２で発生した高温の加湿空気が器具本体１内に充満して送風口２以外の箇所から漏れ出すことを防止する。
【００４６】
また、本実施形態における構成や制御内容は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４７】
１    器具本体
９    給水タンク
１２    貯水室
１３    回転体
１４    ミストモータ
１６    多孔部（衝突体）
１７    送風ファン
１８    加熱ヒータ
１９    貯水温度センサ
２４    排水管
５３    制御部
【図１】
2017003237.tif 000003
【図２】
2017003237.tif 000004
【図３】
2017003237.tif 000005
【図４】
2017003237.tif 000006
【図５】
2017003237.tif 000007
【図６】
2017003237.tif 000008
【図７】
2017003237.tif 000009
【図８】
2017003237.tif 000010
【図９】
2017003237.tif 000011